(57)【要約】  本発明は、高収量混合種竹農園および前述のものを定植する方法を提供する。本発明は、交互の列に、またはその他の配置に２つ以上の竹種を定植する方法を含む。いくつかの態様において、本発明は、パルプおよび紙用途における使用のために十分に適する成熟にて高さ、周径および密度に関して実質的に均一である２つ以上の竹の種を含む農園を提供する。
2016505248.tif 000002
【特許請求の範囲】
【請求項１】
間作された第１および第２の竹を含む竹農園であって、第１の竹は、１エーカーにつき少なくとも約５０苗木の密度にて定植され、および第２の竹は、１エーカーにつき少なくとも約５０苗木の密度にて定植され、第１および第２の竹種は異なる、竹農園。
【請求項２】
第１の竹種は、フィロスタキス・モソ（Ｐｈｙｌｌｏｓｔａｃｈｙｓ  Ｍｏｓｏ）であり、および第２の竹種は、フィロスタキス・ニグラ・ヘノン（Ｐｈｙｌｌｏｓｔａｃｈｙｓ  ｎｉｇｒａ  Ｈｅｎｏｎ）である、前述の請求項のいずれか１項の竹農園。
【請求項３】
第１の竹は、１エーカーにつき約５０〜約１００苗木の密度にて定植され、および第２の竹は、１エーカーにつき約５０〜約１００苗木の密度にて定植される、前述の請求項のいずれか１項の竹農園。
【請求項４】
第１の竹および第２の竹は、交互の列に定植され、および列間領域は、約７〜約１９メートルの範囲である、前述の請求項のいずれか１項の竹農園。
【請求項５】
第１の竹種は、もう一つの第１の竹種と隣接していない、前述の請求項のいずれか１項の竹農園。
【請求項６】
第１の列に第１の竹種を定植する工程；および第２の列に第２の竹種を定植する工程を含み、第１および第２の列は、互いに約３〜約７メートル離れて間隔があけられる、竹農園を定植する方法。
【請求項７】
第１または第２の竹の品種を定植する前に肥料および除草剤からなる群より選択される少なくとも１つの治療薬を適用する工程をさらに含む、請求項６の方法。
【請求項８】
第１のまたは第２の竹種を定植する前に定植される土壌を機械的に処理する工程をさらに含む、請求項６〜７のいずれか１項の方法。
【請求項９】
第１の竹種は、フィロスタキス・モソ（Ｐｈｙｌｌｏｓｔａｃｈｙｓ  Ｍｏｓｏ）であり、および第２の竹種は、フィロスタキス・ニグラ・ヘノン（Ｐｈｙｌｌｏｓｔａｃｈｙｓ  ｎｉｇｒａ  Ｈｅｎｏｎ）である、請求項６〜８のいずれか１項の方法。
【請求項１０】
第１および第２の竹種は、土壌の表面の少なくとも約１０センチメートル下に機械的に定植される、請求項６〜９のいずれか１項の方法。
【請求項１１】
第１の竹種は、１エーカーにつき約５０〜約１００苗木の密度にて定植され、および第２の竹種は、１エーカーにつき約５０〜約１００苗木の密度にて定植される、請求項６〜１０のいずれか１項の方法。
【請求項１２】
第１の竹の種を互いに間隔をあけて離した関係で定植し、これにより列間間隔を定義する工程および列間間隔内に定植される第２の竹の種を定植する工程を含み、これにより第１の竹の種は、もう一つの第１の竹の種と隣接しない、竹農園を定植する方法。
【請求項１３】
第１または第２の竹の品種を定植する前に肥料および除草剤からなる群より選択される少なくとも１つの治療薬を適用する工程をさらに含む、請求項１２の方法。
【請求項１４】
第１または第２の竹の品種を定植する前に定植される土壌を機械的に処理する工程をさらに含む、請求項１２〜１３のいずれか１項の方法。
【請求項１５】
第１の竹種は、フィロスタキス・モソ（Ｐｈｙｌｌｏｓｔａｃｈｙｓ  Ｍｏｓｏ）であり、および第２の竹種は、フィロスタキス・ニグラ・ヘノン（Ｐｈｙｌｌｏｓｔａｃｈｙｓ  ｎｉｇｒａ  Ｈｅｎｏｎ）である、請求項１２〜１４のいずれか１項の方法。
【請求項１６】
第１および第２の竹種は、土壌の表面の少なくとも約１０センチメートル下に機械的に定植される、請求項１２〜１５のいずれか１項の方法。
【請求項１７】
第１の竹種は、１エーカーにつき約５０〜約１００苗木の密度にて定植され、および第２の竹種は、１エーカーにつき約５０〜約１００苗木の密度にて定植される、請求項１２〜１６のいずれか１項の方法。
【発明の詳細な説明】
【背景技術】
【０００１】
竹は、大きな木草（ホウライチク亜科、メリケンカルカヤ属（Ａｎｄｒｏｐｏｇｏｎｅａｅ）／イネ科）の特定の分類群のメンバーについての共通の用語である。竹は、７５の属の中に約１２５０の種を包含し、そのほとんどは、比較的迅速に成長し、５年以内に木立成熟に達する。多くの地域において、竹は、天然林として存在するが、過剰開発および不十分な管理のために枯渇しつつある。この問題は、農園に基づいた栽培を介して対処する必要がある。
【０００２】
おそらく、発展中の竹の農園に基づいた栽培にとって最も大きな挑戦は、多くの商業的に重要な竹が６０〜１３０年もの長い間隔で花が咲くだけであるという事実である。同時に花が咲いている集団における全ての植物で、この長い顕花サイクルの難しさを複雑にしているのは、多くの竹が集団で（または群生した）開花を示すという事実である。たとえば、フィロスタキス・バンブソイデスフラワー（Ｐｈｙｌｌｏｓｔａｃｈｙｓ  ｂａｍｂｕｓｏｉｄｅｓｆｌｏｗｅｒ）は、１３０年の間隔にて、およびこの種において同じ系統の全ての種が、地理的な位置の相違または気象条件に関係なく、同じ時期に開花する。開花の後、竹は、枯れる。
【０００３】
竹の長い開花間隔および集団開花の性向は、繁殖のために種を得ることを非常に困難にする。この問題を複雑にするのは、竹種子が、これらを入手できるときでさえも、わずか３〜６月しか生存可能なままでないという事実である。
【０００４】
種子による竹の繁殖でのこれらの難点の結果、竹は、典型的には株分けおよび挿し木などの無性技術によって繁殖される。しかし、これらの無性繁殖技術は、これらを大規模生産する能力およびこれらの実用的な効率の両方が低すぎるので、推定される世界需要に応ずるには不十分である。
【発明の概要】
【０００５】
竹農園およびより具体的には微細繁殖によって繁殖された竹苗木を植えた竹農園の歩留まりは、単一の農園内に２つ以上の品種の竹の定植によって増加し得るとことが、驚くべきことに今回発見された。フィロスタキス・モソ（Ｐｈｙｌｌｏｓｔａｃｈｙｓ  Ｍｏｓｏ）品種およびフィロスタキス・ニグラ・ヘノン（Ｐｈｙｌｌｏｓｔａｃｈｙｓ  ｎｉｇｒａ  Ｈｅｎｏｎ）品種などの２つ以上の竹の品種の定植によって、たとえば農園のエーカーあたりの全収量は、単一の種のみを植えた農園に比べて増加し得る。この様式において、エーカーあたりの収量は、約１０〜約５０パーセントなどの少なくとも約１０パーセントまで増加し得る。収量の増大は、２つ以上の竹の品種が同様の栽植密度にて、およびそれぞれの竹がそれ自体とは異なる竹の種と隣接するパターンで定植されるときに、特に大きい。
【０００６】
したがって、一つの態様において、本発明は、間作された第１および第２の竹を含む竹農園であって、第１の竹は、１エーカーにつき少なくとも約５０苗木の密度にて定植され、および第２の竹は、１エーカーにつき少なくとも約５０苗木の密度にて定植される竹農園を提供する。
【０００７】
その他の態様において、本発明は、間隔をあけた関係で定植され、これにより列間間隔を定義する２つ以上の竹の第１の品種および列間間隔の中に定植された少なくとも１つの第２の竹の種を含む農園を提供する。
【０００８】
さらに他の態様において、本発明は、竹苗木の第１の種の少なくとも第１および第２の列を含み、第１および第２の列は、その間の列間間隔を定義する農園であって、竹苗木の第１の種の列内間隔は、約３メートルより少なく、および間作された第２の竹の種は、列間領域内に定植される、農園を提供する。
【０００９】
もう一つの態様において、本発明は、第１の列に第１の竹の種を定植する工程；および第２の列に第２の竹の種を定植する工程を含み、第１および第２の列は、約０．５〜約６メートルもう一方から離れて間隔があけられる、竹農園を定植する方法を提供する。
【００１０】
さらにもう一つの態様において、本発明は、間隔をあけた関係で定植され、これにより列間間隔を定義する２つ以上の竹の第１の品種を定植する工程および列間間隔の中に定植された少なくとも１つの第２の竹の種を定植する工程を含む、竹農園を定植する方法を提供する。
【００１１】
その他の特徴および本発明の側面は、以下により詳細に考察してある。
【図面の簡単な説明】
【００１２】
【図１】本発明の一つの態様にしたがった竹農園を図示する。
【図２】本発明のもう一つの態様にしたがった竹農園を図示する。
【発明を実施するための形態】
【００１３】
本発明は、高収量混合種竹農園および前述のものを定植する方法を提供する。本発明は、交互の列に、またはその他の配置に２つ以上の竹種を定植する方法を含む。いくつかの態様において、本発明は、パルプおよび紙用途における使用のために十分に適する成熟にて高さ、周径および密度に関して実質的に均一である２つ以上の竹の種を含む農園を提供する。たとえば、一つの態様において、竹農園は、間作された第１および第２の竹品種であって、第１の竹種は、フィロスタキス・モソ（Ｐｈｙｌｌｏｓｔａｃｈｙｓ  Ｍｏｓｏ）から選択され、および１エーカーにつき少なくとも約５０苗木の密度にて定植され、並びに第２の竹種は、フィロスタキス・ニグラ・ヘノン（Ｐｈｙｌｌｏｓｔａｃｈｙｓ  ｎｉｇｒａ  Ｈｅｎｏｎ）から選択され、および１エーカーにつき少なくとも約５０苗木の密度にて定植される、竹品種を含む。
【００１４】
その他の態様において、竹農園は、２つ以上の竹クローン、２つ以上の竹品種、２つ以上の竹種または２つ以上の竹属を間作することによってパルプおよび紙用途に使用し得る均一な竹バイオマス材料の高収量を得るように定植される。
【００１５】
いくつかの態様において、特定の竹属は、アシドササ種（Ａｃｉｄｏｓａｓａ  ｓｐ．）、アムプレオカラムス種（Ａｍｐｌｅｏｃａｌａｍｕｓ  ｓｐ．）、メダケ種（Ａｒｕｎｄｉｎａｒｉａ  ｓｐ．）、ホウライチク種（Ｂａｍｂｕｓａ  ｓｐ．）、バシャニア種（Ｂａｓｈａｎｉａ  ｓｐ．）、ボリンダ種（Ｂｏｒｉｎｄａ  ｓｐ．）、ブラキスタキウム種（Ｂｒａｃｈｙｓｔａｃｈｙｕｍ  ｓｐ．）、セファロスタキウム種（Ｃｅｐｈａｌｏｓｔａｃｈｙｕｍ  ｓｐ．）、キモノバンブサ種（Ｃｈｉｍｏｎｏｂａｍｂｕｓａ  ｓｐ．）、チュスケア種（Ｃｈｕｓｑｕｅａ  ｓｐ．）、デンドロカラムス種（Ｄｅｎｄｒｏｃａｌａｍｕｓ  ｓｐ．）、ヂノクロア種（Ｄｉｎｏｃｈｌｏａ  ｓｐ．）、ドレパノスタキウム種（Ｄｒｅｐａｎｏｓｔａｃｈｙｕｍ  ｓｐ．）、エレミティス種（Ｅｒｅｍｉｔｉｓ  ｓｐ．）、ファルゲシア種（Ｆａｒｇｅｓｉａ  ｓｐ．）、ガオリゴングシャニア種（Ｇａｏｌｉｇｏｎｇｓｈａｎｉａ  ｓｐ．）、ゲリドカラムス種（Ｇｅｌｉｄｏｃａｌａｍｕｓ  ｓｐ．）、ギガントクロア種（Ｇｉｇａｎｔｏｃｌｏａ  ｓｐ．）、グアヂュア種（Ｇｕａｄｕａ  ｓｐ．）、ヒバノバンブサ種（Ｈｉｂａｎｏｂａｍｂｕｓａ  ｓｐ．）、ヒマラヤカラムス種（Ｈｉｍａｌａｙａｃａｌａｍｕｓ  ｓｐ．）、インドカラムス種（Ｉｎｄｏｃａｌａｍｕｓ  ｓｐ．）、インドササ種（Ｉｎｄｏｓａｓａ  ｓｐ．）リタクネ種（Ｌｉｔｈａｃｈｎｅ  ｓｐ．）、メロカンナ種（Ｍｅｌｏｃａｎｎａ  ｓｐ．）、メンストルオカラムス種（Ｍｅｎｓｔｒｕｏｃａｌａｍｕｓ  ｓｐ．）、ナスツス種（Ｎａｓｔｕｓ  ｓｐ．）、ネオハウセアウア種（Ｎｅｏｈｏｕｚｅａｕａ  ｓｐ．）、ネオミクロカラムス種（Ｎｅｏｍｉｃｒｏｃａｌａｍｕｓ  ｓｐ．）、オクラドラ種（Ｏｃｈｌａｎｄｒａ  ｓｐ．）、オリゴスタキウム種（Ｏｌｉｇｏｓｔａｃｈｙｕｍ  ｓｐ．）、オルメカ種（Ｏｌｍｅｃａ  ｓｐ．）オタテア種（Ｏｔａｔｅａ  ｓｐ．）、オキシテナンテラ種（Ｏｘｙｔｅｎａｎｔｈｅｒａ  ｓｐ．）、マダケ種（Ｐｈｙｌｌｏｓｔａｃｈｙｓ  ｓｐ．）、プレイオブラスツス種（Ｐｌｅｉｏｂｌａｓｔｕｓ  ｓｐ．）、ヤダケ種（Ｐｓｅｕｄｏｓａｓａ  ｓｐ．）、ラッディア種（Ｒａｄｄｉａ  ｓｐ．）、リピドクラヂュム種（Ｒｈｉｐｉｄｏｃｌａｄｕｍ  ｓｐ．）、ササ種（Ｓａｓａ  ｓｐ．）、ササエラ種（Ｓａｓａｅｌｌａ  ｓｐ．）、ササモルファ種（Ｓａｓａｍｏｒｐｈａ  ｓｐ．）、シゾスタキウム種（Ｓｃｈｉｚｏｓｔａｃｈｙｕｍ  ｓｐ．）、セミアルヂナリア種（Ｓｅｍｉａｒｕｎｄｉｎａｒｉａ  ｓｐ．）、シバテア種（Ｓｈｉｂａｔｅａ  ｓｐ．）、シノバンブサ種（Ｓｉｎｏｂａｍｂｕｓａ  ｓｐ．）、タムノカラムス種（Ｔｈａｍｎｏｃａｌａｍｕｓ  ｓｐ．）、チロスタキス種（Ｔｈｙｒｓｏｓｔａｃｈｙｓ  ｓｐ．）、ユシャニア種（Ｙｕｓｈａｎｉａ  ｓｐ．）およびこれらの混合物からなる群より選択される。
【００１６】
さらに他の態様において、竹農園は、フィロスタキス・モソ（Ｐｈｙｌｌｏｓｔａｃｈｙｓ  Ｍｏｓｏ）；フィロスタキス・ビセッチ（Ｐｈｙｌｌｏｓｔａｃｈｙｓ  ｂｉｓｓｅｔｔｉ）；フィロスタキス・ニグラ・ヘノン（Ｐｈｙｌｌｏｓｔａｃｈｙｓ  ｎｉｇｒａ  Ｈｅｎｏｎ）；ファルゲシア・デヌダタ（Ｆａｒｇｅｓｉａ  ｄｅｎｕｄａｔａ）；プレイオブラストゥス・フォルトゥネイ（Ｐｌｅｉｏｂｌａｓｔｕｓ  ｆｏｒｔｕｎｅｉ）；ササ・ベイチイ（Ｓａｓａ  Ｖｅｉｔｃｈｉｉ）；プレイオブラストゥス・ウィリディストリアトゥス（Ｐｌｅｉｏｂｌａｓｔｕｓ  ｖｉｒｉｄｉｓｔｒｉａｔｕｓ）；タムノカラムス・クラッシノデュス（Ｔｈａｍｎｏｃａｌａｍｕｓ  ｃｒａｓｓｉｎｏｄｕｓ）；チュスクエア・クレオ「カーナ・プリエータ」（Ｃｈｕｓｑｕｅａ  Ｃｕｌｅｏ  “Ｃａｎａ  Ｐｒｉｅｔａ”）；バンブサ・オルド・ハミイ（Ｂａｍｂｕｓａ  Ｏｌｄ  Ｈａｍｉｉ）；フィロスタキス・アトロウァギナタ（Ｐｈｙｌｌｏｓｔａｃｈｙｓ  Ａｔｒｏｖａｇｉｎａｔａ）；デンドロカラムス・アスパー（Ｄｅｎｄｒｏｃａｌａｍｕｓ  Ａｓｐｅｒ）；またはグアドゥア・アングスティフォリア（Ｇｕａｄｕａ  Ａｎｇｕｓｔｉｆｏｌｉａ）；アルンディナリア・ギガンテア（Ａｒｕｎｄｉｎａｒｉａ  ｇｉｇａｎｔｅａ）；バンブサ・バルコア（Ｂａｍｂｕｓａ  ｂａｌｃｏａ）；バンブサ・ウルガリス（Ｂａｍｂｕｓａ  ｖｕｌｇａｒｉｓ）；バンブサ・ウルガリス「ビタッタ」（Ｂａｍｂｕｓａ  ｖｕｌｇａｒｉｓ  ‘Ｖｉｔａｔｔａ’）；バンブサ・オルダミイ（Ｂａｍｂｕｓａ  Ｏｌｄｈａｍｉｉ）；バンブサ・トゥルダ（Ｂａｍｂｕｓａ  ｔｕｌｄａ）；デンドロカラムス・ブランディシイ（ｅｎｄｒｏｃａｌａｍｕｓ  ｂｒａｎｄｅｓｉｉ）；デンドロカラムス・アスパー（Ｄｅｎｄｒｏｃａｌａｍｕｓ  Ａｓｐｅｒ）；デンドロカラムス・ハミルトニイ（Ｄｅｎｄｒｏｃａｌａｍｕｓ  ｈａｍｉｌｔｏｎｉ）；デンドロカラムス・ギガンテウス（Ｄｅｎｄｒｏｃａｌａｍｕｓ  ｇｉｇａｎｔｅｕｓ）；デンドロカラムス・メンブラナケウス（Ｄｅｎｄｒｏｃａｌａｍｕｓ  ｍｅｍｂｒａｎａｃｅｕｓ）；デンドロカラムス・ストリクトゥス（Ｄｅｎｄｒｏｃａｌａｍｕｓ  ｓｔｒｉｃｔｕｓ）；ギガントクロア・アスペラ（Ｇｉｇａｎｔｏｃｈｌｏａ  ａｓｐｅｒａ）；ギガントクロア・スコルテキニイ（Ｇｉｇａｎｔｏｃｈｌｏａ  ｓｃｏｒｔｅｃｈｉｎｉ）；グアドゥア・アクレアタ（Ｇｕａｄｕａ  ｃｕｌｅａｔａ）；グアドゥア・アクレアタ「ニカラグア」（Ｇｕａｄｕａ  ａｃｕｌｅａｔａ  ‘Ｎｉｃａｒａｇｕａ’）；グアドゥア・アンプレクシフォリア（Ｇｕａｄｕａ  ａｍｐｌｅｘｉｆｏｌｉａ）；グアドゥア・アングスティフォリア（Ｇｕａｄｕａ  ａｎｇｕｓｔｉｆｏｌｉａ）；グアドゥア・アングスティフォリア・バイカラー（Ｇｕａｄｕａ  ａｎｇｕｓｔｏｆｏｌｉａ  ｂｉｃｏｌｏｒ）；グアドゥア・パニクラタ（Ｇｕａｄｕａ  ｐａｎｉｃｕｌａｔａ）；メロカンナ・バンブソイデス（Ｍｅｌｏｃａｎｎａ  ｂａｍｂｕｓｏｉｄｅｓ）；ネオホウゼアウア・デュロオア（Ｎｅｏｈｏｕｚｅａｕａ  ｄｕｌｌｏｏａ）（テイノスタキウム属（Ｔｅｉｎｏｓｔａｃｈｙｕｍ））；オクランドラ・トラウァンコリカ（Ｏｃｈｌａｎｄｒａ  ｔｒａｖａｎｃｏｒｉｃａ）およびシゾスタキウム・ルマンパオ（Ｓｃｈｉｚｏｓｔａｃｈｙｕｍ  ｌｕｍａｍｐａｏ）からなる群より選択される２つ以上の竹種を含む。
【００１７】
特に好ましい態様において、農園は、マダケ属種から選択される温帯竹の２つの異なる種、たとえば、フィロスタキス・ヘテロシクラ・プベセンス（Ｐｈｙｌｌｏｓｔａｃｈｙｓ  ｈｅｔｅｒｏｃｙｃｌａ  ｐｕｂｅｓｃｅｎｓ）（また、本明細書においてフィロスタキス・モソ（Ｐｈｙｌｌｏｓｔａｃｈｙｓ  Ｍｏｓｏ）ともいわれる）およびフィロスタキス・バンブソイデス（Ｐｈｙｌｌｏｓｔａｃｈｙｓ  ｂａｍｂｕｓｏｉｄｅｓ）を含む。または代わりの態様において、農園は、フィロスタキス・モソ（Ｐｈｙｌｌｏｓｔａｃｈｙｓ  Ｍｏｓｏ）およびフィロスタキス・ニグラ・ヘノン（Ｐｈｙｌｌｏｓｔａｃｈｙｓ  ｎｉｇｒａ  Ｈｅｎｏｎ）を含んでいてもよい。
【００１８】
いくつかの態様において、竹農園を定植するために使用される竹植物は、天然環境において成長され、栽培された領域において成長され、および／または成長施設（たとえば、温室）において成長される。
【００１９】
いくつかの態様において、竹植物は、天然受粉によって繁殖される。たとえば、このような竹植物は、竹の種から得られる。
【００２０】
その他の態様において、竹植物は、栄養繁殖などの従来のマクロ繁殖法によって繁殖される。栄養繁殖の非限定的な例は、株分け（たとえば、短匍枝定植および根茎定植）、全草本茎挿し木、取り木、草本茎−節挿し木、枝挿し木およびマクロ増殖を含む。いくつかの態様において、純粋な竹植物は、組織栽培することなどの微細繁殖によって繁殖される。
【００２１】
特に好ましい態様において、それぞれの竹品種は、単一の竹クローン、品種、種または属を含む。たとえば、竹農園は、特定のフィロスタキス・モソ（Ｐｈｙｌｌｏｓｔａｃｈｙｓ  Ｍｏｓｏ）クローンの生殖質に由来する竹苗木および特定のフィロスタキス・ニグラ・ヘノン（Ｐｈｙｌｌｏｓｔａｃｈｙｓ  ｎｉｇｒａ  Ｈｅｎｏｎ）クローンの生殖質に由来する苗木を含んでいてもよい。いくつかの態様において、フィロスタキス・モソ（Ｐｈｙｌｌｏｓｔａｃｈｙｓ  Ｍｏｓｏ）クローンおよびフィロスタキス・ニグラ・ヘノン（Ｐｈｙｌｌｏｓｔａｃｈｙｓ  ｎｉｇｒａ  Ｈｅｎｏｎ）クローンは、両方とも微細繁殖法に由来する。
【００２２】
竹苗木を精算する方法に関係なく、苗木は、好ましくは１エーカーにつき少なくとも約１００苗木の密度にて定植される。最初の栽植密度は、関係する種の部位状態およびサイズに依存する。一般に、より高密度がバンブサ・オルド・ハミイ（Ｂａｍｂｕｓａ  Ｏｌｄ  Ｈａｍｉｉ）などの小型の竹の確立のために適し、一方で、フィロスタキス・モソ（Ｐｈｙｌｌｏｓｔａｃｈｙｓ  Ｍｏｓｏ）などの大型の竹は、より低密度にて定植され得る。しかし、栽植密度は、林冠曝露、低土壌水分および雑草からの強力な競合を生じるほど低くするべきでない。逆に、定植時に詰め込みすぎると、明るさ、空間、土壌水分および栄養素を苗木感で激しく競争するために、また低生産性を生じるだろう。したがって、約１００〜約５００苗木および好ましくは１エーカーにつき約１５０〜約３００苗木以上などの１エーカーにつき少なくとも約１００苗木の栽植密度が望ましい。
【００２３】
竹農園が２つの異なる竹品種を含むこれらの例において、総苗木密度は、１エーカーにつき約１００〜約２００苗木など１エーカーにつき少なくとも約１００苗木であることが好ましいが、異なる竹品種を同じまたは異なる密度にて定植してもよい。たとえば、農園は、１エーカーにつき約２００苗木の総苗木密度を有してもよく、および第１および第２の竹種を含み、この場合、第１の竹種は、１エーカーにつき約５０〜約１００苗木の密度にて定植され、および第２の竹種は、１エーカーにつき約１００〜約１５０苗木の密度にて定植される。
【００２４】
農園が２つ以上の異なる竹品種を含む場合、２つ以上の異なる竹品種は、好ましくはそれぞれの第１の種が第２の竹の種と隣接するように定植される。この様式において、２つ以上の異なる竹品種は、「間作され」、これは、本明細書において２つ以上の異なる竹品種が互いに近接して成長される場合の定植配置に使用される。様々な異なる栽植様式が、間作を達成するために想定される。
【００２５】
たとえば、一つの態様において、２つの竹品種は、同じまたは異なる密度にて、列を交互にして定植することによって間作されてもよい。この様式では、それぞれの竹種は、本明細書において「ローライン」と言われる列を定義する個々の苗木と共に定植される。これらのローラインは、たいてい、しかし必ずではなく、直線状の列であり、および好ましくは一般に互いに平行である。
【００２６】
本発明の考察の目的のためには、農園内の特定の領域または帯域を定義するために有用である。竹種は、本明細書において、列が、およびより好ましくは直線状の列が互いに隣接して定植された同じ種からの複数の竹苗木をいう「列」で定植することが一般に意図される。図１に関して、第１の１５および第２の２５の竹種は、列２０、３０に定植される。図示した竹農園５は、竹１５の第１の種の４本の列２０および竹２５の第２の種の４本の列３０を含む。竹１５の第１の品種は、農園５の外縁部４、６を定義する。竹１５の第１の品種は、距離Ｗによって互いに分離された間隔をあけた列２０に定植される。栽植密度に応じて、Ｗは、約８〜約２０メートルおよび特に好ましい態様において約１０〜約１５メートルで異なってもよい。
【００２７】
さらに図１において図示したように、列領域３５は、第１の列２０のそれぞれを囲む。列領域３５は、一般に平行した端部の間で、ローラインのそれぞれの側に一般に拡張する。たとえば、列領域３５は、約０．２５〜約０．５メートルなどの少なくとも約０．２５メートル、ローライン２０のそれぞれの側に拡張し、その結果列領域３５は、約０．５〜約１メートルの幅を有する。隣接する列領域３５間の残りの領域は、本明細書において「列間領域」と称する。図１にて図示したように、列間領域３７は、一般に約３〜約９メートルおよび特に好ましい態様において約５〜約７メートルなど、３メートルを上回る幅（ｗ）を有する。好ましい態様において、第２の竹の種は、本発明に従って列間領域に定植され、その結果、Ｒとして測定される第１および第２の列の間の竹の距離は、約３〜約７メートルからのおよび特に好ましい態様において約４〜５メートルなど、８メートルより短い。
【００２８】
特に好ましい態様において、類似の種の列は、約１０メートル離れて定植され、列領域は、約１メートル幅であり、隣接する苗木の間の間隔は、約５メートルであり、および列間（ｗ）領域は、約８メートル幅である。当業者に明らかであろうとおり、列領域と列間領域との間の推移は、明確に定義された列ではないが、本発明の方法の特定の部分が好ましくは実施される場所または方法の考察のために本明細書において使用される。
【００２９】
たとえば、一つの態様において、竹苗木の第１の種は、１エーカーにつき少なくとも約５０苗木の密度にて列に定植されたフィロスタキス・モソ（Ｐｈｙｌｌｏｓｔａｃｈｙｓ  Ｍｏｓｏ）から選択され、および竹苗木の第２の種は、１エーカーにつき少なくとも約５０苗木の密度にて第１の竹種の列の間に定植されたフィロスタキス・ニグラ・ヘノン（Ｐｈｙｌｌｏｓｔａｃｈｙｓ  ｎｉｇｒａ  Ｈｅｎｏｎ）から選択された。好ましくは、２つの竹の品種は、それぞれの第１の竹苗木が、第２の竹苗木から６メートルより短く、およびより好ましくは約５メートルより短く、および特に好ましい態様において約３〜４．５メートルに定植される。
【００３０】
特に好ましい態様において、高収量竹農園は、第１の竹は、フィロスタキス・モソ（Ｐｈｙｌｌｏｓｔａｃｈｙｓ  Ｍｏｓｏ）であり、および第２の竹は、フィロスタキス・ニグラ・ヘノン（Ｐｈｙｌｌｏｓｔａｃｈｙｓ  ｎｉｇｒａ  Ｈｅｎｏｎ）である２つの異なる竹の品種の列を交互に定植することによって作製される。それぞれの竹の列は、定植領域の形状に従って、直線状、湾曲されて、または直線状および湾曲された列の混合で定植されてもよい。フィロスタキス・モソ（Ｐｈｙｌｌｏｓｔａｃｈｙｓ  Ｍｏｓｏ）の列は、約８〜約１２メートル互いに離れて間隔をあけ、およびフィロスタキス・モソ（Ｐｈｙｌｌｏｓｔａｃｈｙｓ  Ｍｏｓｏ）の列の間に、フィロスタキス・ニグラ・ヘノン（Ｐｈｙｌｌｏｓｔａｃｈｙｓ  ｎｉｇｒａ  Ｈｅｎｏｎ）の列が定植される。
【００３１】
一定の態様において、肥料は、定植の前に、定植と同時に、またはその他の態様において定植の後のいずれかに竹農園に適用される。特に好ましい態様において、リン、カリウムおよび窒素を含む肥料が適用され、より好ましくは、肥料は、成長時期の始めにヘクタールあたり１００：５０：５０キログラム（Ｎ：Ｋ：Ｐ）を提供するために十分な量で適用される。
【００３２】
本発明のいくつかの好ましい態様において、肥料は、列領域に適用される一方で、列間領域に対して肥料の任意の実質的量を適用しない。これにより、肥料を１つの竹種のみによって主に利用させることができる。明細書に使用される、「同時に」は、土壌調製、定植および肥料および／または除草剤の適用などの種々の操作が、最初および最後の操作が約２４時間より少なく、および好ましくは約１２時間より少なく、離れるように実質的に同じ時間に所与の列間領域内に達成される。
【００３３】
その他の態様において、本発明は、耕すことのなく、しかし除草剤および肥料を同時に適用して、土壌に少なくとも２つの竹の種を定植する工程を含む竹農園に定植する方法を提供する。
【００３４】
いくつかの態様において、本発明は、第１の竹の種の隣接する列の間にストリップまたはゾーン耕作技術を利用して、それぞれの列の間に苗木床を調製する。第２の竹種苗木を耕された床に定植し、および次いで、土壌を苗木の上でを覆って定植を完了する。用地がゾーンに分けた耕作に供されるとほぼ同時に、苗から成熟するまでの除草剤を、雑草防除のために、列領域および少なくとも列間領域を含む用地に適用し、および肥料適用を適用する。特に好ましい態様において、肥料は、有効性を最大にするために約３０センチメートルの列間領域に適用される。この方法および３つの操作（散布し、施肥し、および被服作物を播種する）を組み合わせる、および無耕墾用地においてこれらを行うタイミングが多くの利益をもたらす。たとえば、これは、複数回の遮断に関連するコストおよびエネルギーを減少させ、一方でこれらの環境的に適した実施を容易にする。本方法は、また迅速に第１の竹種を確立して、競合的増殖の発生を阻止することを容易にし、一方で第２の竹種は、確立されることとなる。
【００３５】
第１の竹の種の有効な確立は、また冬および初春の間の農園における雑草種の確立を減少させ、およびおそらくいくつかの作付け方式において除草剤抵抗性雑草の発生を遅らせるのを補助することができる。
【００３６】
特に好ましい態様において、第１および第２の竹の定植より前に、土壌は、耕すといわれる方法に調製した。特にすき先を有する道具などの土壌調製部品を使用して土壌を切断して、土壌の表面を破壊し、定植のためにそれを調整する。これは、少なくとも部分的に竹苗木を受けるように土壌を暴露する。いくつかの態様において、すき先は、土壌において深さ約２０センチメートル苗木の定植ができる溝を提供する。
【００３７】
土壌調製部品により苗木床を調製した後で、竹苗木を定植してもよい。第１の竹の種は、間隔を置いて列に定植し、および第２の竹の種は、列間領域に定植される。第２の竹の種は、第１の竹の種と同様の列において定植してもよく、および同じまたは異なる密度にて、次いで第１の竹の種を定植してもよい。苗木がまかれた後、土壌の一部は、列間領域における土壌において少なくとも部分的に固く締め、または固めるように堆積させる。これは、土壌に対する根の接触を増大するように苗木の一部をカバーしても、および包埋してもよい。
【００３８】
第２の竹の種が設置された後、用地を除草剤および／または肥料で処理してもよい。特に好ましい態様において、除草剤または肥料を、第１の竹の種と共に定植された列の列間領域に、および少なくとも一部に適用した。除草剤または肥料は、噴霧ブームを有するアプリケーターおよび広いスプレーパターンでスプレーノズルを使用して適用してもよく、およびノズルは、接地点より上に、および好ましくは竹苗木の葉の下の約３０〜約６０センチメートルに配置してもよい。
【００３９】
特に好ましい態様において、第２の竹の種は、第１の竹の種の定植後の約４〜約８週間後に定植される。植物による養分吸収が急増するときが成長の段階と一致するので、これは、補足的な窒素肥料を適用するための理想的な時間枠である。これは、それを流出または浸出事象において失わせ得る環境条件に対する肥料の曝露を減少させる。また、これは、任意の雑草を制御するために苗から成熟するまでの除草剤適用のための最適な時であり、最初の除草剤適用から収穫まで残らないであろう。本発明の使用は、栽培者が第１の竹種の定植の時に除草剤除草剤の使用をスキップすることができるであろう。
【００４０】
その他の態様において、第１の竹種は、１１月下旬または１２月上旬に列に定植される。次いで、約４〜約８週後に、装置を使用して第１の竹の種を施肥して、列間領域において土壌を調製して、第２の竹の種を定植して、苗木を埋め、および除草剤を適用する。
【００４１】
一方、図１の混合種竹農園は、１エーカーにつき約１００〜約２００苗木およびさらにより好ましくは１エーカーにつき約１００〜約１５０苗木などの１エーカーにつき少なくとも約１００苗木およびより好ましくは１エーカーにつき約１２０苗木の農園密度を達成するように交互に直線の列に定植された２つの竹種を図示する。竹品種の交互の列を図１に図示する一方、その他の定植配置も想定される。一般に、任意の定植配置は、１エーカーにつき少なくとも約１００の竹苗木の総密度にて定植された少なくとも２つの竹の種を有する竹農園を達成し、２つの竹種は、絡み合った根系を形成するのに十分である十分な密度および間隔にて定植される。任意の特定の理論によって拘束されないが、２つの異なる竹種の根が絡み合うようになるためには、２つの竹種は、互いに隣接して、および約４〜約８メートル離れて、およびより好ましくは約２．５〜約７メートル離れてなど、約１０メートルより少なく離れて定植されなければならないと考えられる。
【００４２】
たとえば、図２に図示した代わりの態様において、竹の第１の種１５は、第１の種竹１５の領域５０を形成するように２つの隣接する列２０として定植される。第１の種竹５０の領域は、農園５内で繰り返され、および互いに離れて間隔をあけて列間領域３７を形成する。第２の竹種２５は、竹領域５０から離れて列間領域３７に定植され、第１の竹種２０のそれぞれは、少なくとも１つの第２の竹種３０と隣接する。この様式において、第１の竹種２０は、第２の竹種３０より高い密度にて定植され、なおも２つの種は、これらのそれぞれの根系が絡み合って、およびこれにより農園５の全収量を増加させ得るように定植される。
【００４３】
特に好ましい態様において、栽培者は、第１の竹種１５のそれぞれの列２０について約５メートル離して竹苗木を植え付け（図１においてＲとして図示した）、第１の竹苗木１５の直線状の配置を生じ、および次いでそれぞれの第２の竹２５が少なくとも１つの第１の竹種１５と隣接するように第２の竹の種２５をランダムに間作する。
【００４４】
一定の態様において、作業者は、約２０および４０センチメートルの深さに苗木を置くように、第１の１５および第２の２５の竹苗木を、ホーダッドを使用して手によって定植する。特定の好ましい態様において、栽培者は、ホーダッドを使用して、第１の竹苗木の種を定植し続けて、約０．５メートル幅の列領域および約４メートル幅の列間領域を有する第１の竹の種の列を生じる。次いで、第２の種の竹苗木を２つの連続した第１の竹種列の間に定植する。
【００４５】
有効な根のネットワークおよび林冠を作製することに加えて、好ましい態様では、高収量の竹を生じる。典型的には、竹農園の定植から約５年以内に成熟に達し、および収穫され得る。竹の収量は、１年につき約１５〜約３０乾燥メートルトンなど、１エーカーにつき１年につき約１０〜約５０乾燥メートルトンで変化し得る。１年あたりの、竹の正確な収量は、定植される種、栽植密度および収集する方法論に応じて変化し得る。しかし、第２の竹の種の列の少なくとも約２メートル以内に第１の竹種を定植すると、単一の竹の種で定植された農園と比較して、農園の全収量を約１０〜約５０パーセントおよびより好ましくは約２０〜約３０パーセントなど、少なくとも１０パーセントまで増加させる。
【００４６】
特に好ましい態様において、本明細書において記述したとおりに間作されたフィロスタキス・モソ（Ｐｈｙｌｌｏｓｔａｃｈｙｓ  Ｍｏｓｏ）およびフィロスタキス・ニグラ・ヘノン（Ｐｈｙｌｌｏｓｔａｃｈｙｓ  ｎｉｇｒａ  Ｈｅｎｏｎ）を含む竹農園は、定植の１０年未満の後に、およびより好ましくは定植の６年未満の後に１年につき１エーカーにつき約１５乾燥メートルトンよりも優れた地上の正味の一次生産性を生じる。たとえば、竹農園は、組織栽培から増殖されたフィロスタキス・モソ（Ｐｈｙｌｌｏｓｔａｃｈｙｓ  Ｍｏｓｏ）およびフィロスタキス・ニグラ・ヘノン（Ｐｈｙｌｌｏｓｔａｃｈｙｓ  ｎｉｇｒａ  Ｈｅｎｏｎ）苗木で定植されてもよい。農園は、１エーカーにつき約２００苗木の密度にて定植され、および交互の列に定植された５０％のフィロスタキス・モソ（Ｐｈｙｌｌｏｓｔａｃｈｙｓ  Ｍｏｓｏ）および５０％のフィロスタキス・ニグラ・ヘノン（Ｐｈｙｌｌｏｓｔａｃｈｙｓ  ｎｉｇｒａ  Ｈｅｎｏｎ）を含んでいてもよい。
【図１】
2016505248.tif 000003
【図２】
2016505248.tif 000004
【国際調査報告】
2016505248.tif 000005
2016505248.tif 000006